【手続補正書】
【提出日】平成20年3月13日(2008.3.13)
【手続補正１】
【補正対象書類名】明細書
【補正対象項目名】特許請求の範囲
【補正方法】変更
【補正の内容】
【特許請求の範囲】
【請求項１】
移動局のアプリケーションが生のパケット化されたデータを受信するための方法であって、
移動局のアプリケーションによって、少なくとも1つのソケットを生成することと、
複数の移動局のプロトコル層の少なくとも１つによって、宛先ポートの情報を欠いているカプセル化された生のパケット化されたデータを、通信ネットワークから受信することと、
移動局のプロトコル層の少なくとも１つによって、逆カプセル化された生のパケット化されたデータを少なくとも1つのソケットへ送ることと、
少なくとも1つのソケットによって、生のパケット化されたデータを移動局のアプリケーションへ送ることとを含む方法。
【請求項２】
生のパケット化されたデータをインターネット制御メッセージングプロトコルのパーシングエンジンへ送ることをさらに含む請求項１記載の方法。
【請求項３】
生のパケット化されたデータが、生のＩＰパケットを含む請求項１記載の方法。
【請求項４】
複数の移動局のプロトコル層が、移動局の無線リンクプロトコル層および移動局のＩＳ−９５のプロトコル層の少なくとも一方を含む請求項１記載の方法。
【請求項５】
複数の移動局のプロトコル層が、移動局の通信プロトコルスタックを含む請求項１記載の方法。
【請求項６】
移動局のアプリケーションが生のパケット化されたデータを受信する装置であって、装置が、
少なくとも1つのソケットを生成するための移動局のアプリケーションと、
複数の移動局のプロトコル層とを含んでいて、
移動局のプロトコル層の少なくとも１つが、宛先ポートの情報を欠いているカプセル化された生のパケット化されたデータを、通信ネットワークから受信するようにされていて、
移動局のプロトコル層の少なくとも１つが、逆カプセル化された生のパケット化されたデータを少なくとも1つのソケットへ送るようにされていて、かつ、
少なくとも１つのソケットが、生のパケット化されたデータを移動局のアプリケーションへ送るようにされている装置。
【請求項７】
少なくとも１つのソケットが、生のパケット化されたデータをインターネット制御メッセージングプロトコルのパーシングエンジンへ送るようにされている請求項６記載の装置。
【請求項８】
生のパケット化されたデータが生のＩＰパケットを含む請求項６記載の装置。
【請求項９】
複数の移動局のプロトコル層が、移動局の無線リンクプロトコル層および移動局のＩＳ−９５のプロトコル層の少なくとも一方を含む請求項６記載の装置。
【請求項１０】
複数の移動局のプロトコル層が、移動局の通信プロトコルスタックを含む請求項６記載の装置。
【請求項１１】
コード化された情報を含む機械読出し可能媒体であって、機械によって読出されたときに、
移動局のアプリケーションによって、少なくとも１つのソケットを生成するプロセスと、
複数の移動局のプロトコル層の少なくとも１つによって、宛先ポートの情報を欠いているカプセル化された生のパケット化されたデータを、通信ネットワークから受信するプロセスと、
移動局のプロトコル層の少なくとも１つによって、逆カプセル化された生のパケット化されたデータを少なくとも１つのソケットへ送るプロセスと、
少なくとも１つのソケットによって、生のパケット化されたデータを移動局のアプリケーションへ送るプロセスとを行なう機械読出し可能媒体。
【請求項１２】
生のパケット化されたデータを、インターネット制御メッセージングプロトコルのパーシングエンジンへ送ることをさらに含む請求項１１記載の機械読出し可能媒体。
【請求項１３】
生のパケット化されたデータが、生のＩＰパケットを含む請求項１１記載の機械読出し可能媒体。
【請求項１４】
複数の移動局のプロトコル層が、移動局の無線リンクプロトコル層および移動局のＩＳ−９５のプロトコル層の少なくとも一方を含む請求項１１記載の機械読出し可能媒体。
【請求項１５】
複数の移動局のプロトコル層が、移動局の通信プロトコルスタックを含む請求項１１記載の機械読出し可能媒体。
【請求項１６】
移動局のアプリケーションが生のパケット化されたデータを送るための方法であって、
移動局のアプリケーションによって、少なくとも1つのソケットを生成することと、
少なくとも1つのソケットによって、移動局のアプリケーションの生のパケット化されたデータを、複数の移動局のプロトコル層の少なくとも１つへ送ることと、
複数の移動局のプロトコル層の少なくとも１つによって、カプセル化された生のパケット化されたデータを通信ネットワークへ送ることとを含む方法。
【請求項１７】
生のパケット化されたデータが、生のＩＰパケットを含む請求項１６記載の方法。
【請求項１８】
複数の移動局のプロトコル層が、移動局の無線リンクプロトコル層および移動局のＩＳ−９５のプロトコル層の少なくとも一方を含む請求項１６記載の方法。
【請求項１９】
複数の移動局のプロトコル層が移動局の通信プロトコルスタックを含む請求項１６記載の方法。
【請求項２０】
移動局のアプリケーションが生のパケット化されたデータを送るための装置であって、装置が、
少なくとも１つのソケットを生成するための移動局のアプリケーションと、
複数の移動局のプロトコル層とを含み、
少なくとも１つのソケットが、移動局のアプリケーションの生のパケット化されたデータを、移動局のプロトコル層の少なくとも1つへ送るようにされていて、かつ、
移動局のプロトコル層の少なくとも１つが、カプセル化された生のパケット化されたデータを通信ネットワークへ送るようにされている装置。
【請求項２１】
生のパケット化されたデータが、生のＩＰパケットを含む請求項２０記載の装置。
【請求項２２】
複数の移動局のプロトコル層が、移動局の無線リンクプロトコル層および移動局のＩＳ−９５のプロトコル層の少なくとも一方を含む請求項２０記載の装置。
【請求項２３】
複数の移動局のプロトコル層が、移動局の通信プロトコルスタックを含む請求項２０記載の装置。
【請求項２４】
コード化された情報を含む機械読出し可能媒体であって、機械によって読出されたときに、
移動局のアプリケーションによって、少なくとも１つのソケットを生成するプロセスと、
少なくとも１つのソケットによって、移動局のアプリケーションの生のパケット化されたデータを、複数の移動局のプロトコル層の少なくとも１つへ送るプロセスと、
複数の移動局のプロトコル層の少なくとも1つによって、カプセル化された生のパケット化されたデータを通信ネットワークへ送るプロセスとを行なう機械読出し可能媒体。
【請求項２５】
生のパケット化されたデータが、生のＩＰパケットを含む請求項２４記載の機械読出し可能媒体。
【請求項２６】
複数の移動局のプロトコル層が、移動局の無線リンクプロトコル層および移動局のＩＳ−９５のプロトコル層の少なくとも一方を含む請求項２４記載の機械読出し可能媒体。
【請求項２７】
複数の移動局のプロトコル層が、移動局の通信プロトコルスタックを含む請求項２４記載の機械読出し可能媒体。
【請求項２８】
生のパケット化されたデータを受信するための装置であって、
移動局のアプリケーションによって、少なくとも1つのソケットを生成する手段と、
複数の移動局のプロトコル層の少なくとも１つによって、宛先ポートの情報を欠いているカプセル化された生のパケット化されたデータを、通信ネットワークから受信する手段と、
移動局のプロトコル層の少なくとも１つによって、逆カプセル化された生のパケット化されたデータを少なくとも1つのソケットへ送る手段と、
少なくとも1つのソケットによって、生のパケット化されたデータを移動局のアプリケーションへ送る手段とを含む装置。